(57)【要約】      （修正有）【課題】樹脂製シートにブリスター加工を施して形成されたものであっても、オフセット印刷による印刷表示を好適に表示できる包装用容器を提供する。【解決手段】平板状の樹脂製シートにブリスター加工を施して形成された包装用容器Ｃである。被包装物を収納するための収納空間ｓが形成される凹部１１を有した本体部１と、この本体部１に連続して設けられ凹部１１に嵌合する凸部２１を有した蓋部２と、本体部１又は蓋部２に連続して設けられ平板状をなす平板表示部３とを備えてなる。平板表示部３にオフセット印刷による印刷表示Ｐが設けられており、本体部１及び蓋部２には印刷表示Ｐが設けられていないものとした。【選択図】図１
0003185830.tif 000002
【実用新案登録請求の範囲】
【請求項１】
平板状の樹脂製シートにブリスター加工を施して形成された包装用容器であって、
被包装物を収納するための収納空間が形成される凹部を有した本体部と、この本体部に連続して設けられ前記凹部に嵌合する凸部を有した蓋部と、前記本体部又は前記蓋部に連続して設けられ平板状をなす平板表示部とを備えてなり、
前記平板表示部にオフセット印刷による印刷表示が設けられており、前記本体部及び蓋部には前記印刷表示が設けられていないことを特徴とする包装用容器。
【請求項２】
前記本体部及び蓋部がそれぞれ透明をなしている請求項１記載の包装用容器。
【請求項３】
前記平板表示部が、前記蓋部に連続して配されたものであり、
前記平板表示部が、前記蓋部に連続して設けられた後面板とこの後面板に連続して設けられ前記後面板の前側に配された前面板とを備えており、前記後面板の背面と前記前面板の正面に前記印刷表示が設けられている請求項１又は２記載の包装用容器。
【請求項４】
前記本体部が前記凹部の周縁から外側方に延出した第一の鍔部を備えるとともに、前記蓋部が前記凸部の周縁から外側方に延出した第二の鍔部を備えている請求項１、２又は３記載の包装用容器。
【考案の詳細な説明】
【技術分野】
【０００１】
本考案は、平板状の樹脂製シートにブリスター加工を施して形成された包装用容器に関する。
【背景技術】
【０００２】
従来から、平板状の樹脂製シートを、金型を用いて真空成形又は圧空成形し所望の凹凸形状を有した成形品に加工するブリスター加工が知られている（例えば特許文献１参照）。
【０００３】
一般に、ブリスター加工により形成された包装用容器は、他の方法で形成された包装用容器と比較して、糊付けの工程を省き易い点や被包装物を包装する作業が容易である点などの種々の利点を有している。
【０００４】
ブリスター加工は、平板状の樹脂製シートを一定時間加熱することにより所望の凹凸形状に成形するものである。このため、樹脂製シートに印刷表示が施されている場合には、その印刷表示が加熱されたり伸縮させられたりすることにより、印刷表示にヒビ割れ線等が生じてしまうという不具合がある。かかる不具合は、当該印刷表示が、色彩に優れたオフセット印刷によるものであればより一層顕著なものとなる。
【０００５】
かかる理由により、従来のブリスター加工により形成された包装用容器の殆どは、透明な樹脂製シートをブリスター加工することにより得られた透明の樹脂製シート加工物と、この樹脂製シート加工物とは別の紙製の台紙とを備えたものとし、その紙製の台紙に被包装物を説明するための印刷表示を施すようにしていた。
【０００６】
その一方で、従来から、ブリスター加工される樹脂製シートに直接印刷表示を施しているものも存在する。しかしながら、従来のこの種のものでは、極めて特殊なインキを適用しなければ適切な印刷表示を表示させることができず、しかも、ブリスター加工に伴う樹脂製シートの伸縮変形を見越して印刷される絵柄を微妙に何度も調整しなければならず、作業効率に優れたものではなかった。
【先行技術文献】
【特許文献】
【０００７】
【特許文献１】実用新案登録第３０５１００６号
【考案の概要】
【考案が解決しようとする課題】
【０００８】
本考案は、このような課題に着目してなされたものであって、主たる目的は樹脂製シートにブリスター加工を施して形成されたものであっても、オフセット印刷による印刷表示を好適に表示できる包装用容器を提供することにある。
【課題を解決するための手段】
【０００９】
すなわち、本考案の包装用容器は、次の構成をなしている。
【００１０】
請求項１に係る包装用容器は、平板状の樹脂製シートにブリスター加工を施して形成された包装用容器であって、被包装物を収納するための収納空間が形成される凹部を有した本体部と、この本体部に連続して設けられ前記凹部に嵌合する凸部を有した蓋部と、前記本体部又は前記蓋部に連続して設けられ平板状をなす平板表示部とを備えてなり、前記平板表示部にオフセット印刷による印刷表示が設けられており、前記本体部及び蓋部には前記印刷表示が設けられていないものである。
【００１１】
このようなものであれば、ブリスター加工に伴う加熱及び伸縮の影響を受けにくい平板状をなす平板表示部に、オフセット印刷による印刷表示が設けられているため、オフセット印刷による印刷表示を加熱及び伸縮の影響を避けて好適に表示することができるものとなる。しかも、ブリスター加工に伴う加熱及び伸縮の影響を受け易い前記本体部及び蓋部に、前記印刷表示が設けられていないため、オフセット印刷による印刷表示に不具合が生じるというおそれが無くなるものとなる。
【００１２】
請求項２に係る包装用容器は、請求項１に係る構成において、前記本体部及び蓋部がそれぞれ透明をなしているものである。
【００１３】
このようなものであれば、被包装物が本体部や蓋部を通じて容易に視認できるものとなる。
【００１４】
ここで、「透明」とは、透き通っているものであればよく、光を透過させて看者が視認可能な半透明を含む概念である。また、透明は、無色であっても有色であっても良い。
【００１５】
請求項３に係る包装用容器は、請求項１又は２に係る構成において、前記平板表示部が、前記蓋部に連続して配されたものであり、前記平板表示部が、前記蓋部に連続して設けられた後面板とこの後面板に連続して設けられ前記後面板の前側に配された前面板とを備えており、前記後面板の背面と前記前面板の正面に前記印刷表示が設けられているものである。
【００１６】
このようなものであれば、樹脂製シートの片面だけにオフセット印刷を施したものであっても、両面側に印刷表示を設けた包装用容器とすることができる。
【００１７】
請求項４に係る包装用容器は、請求項１、２又は３に係る構成において、前記本体部が前記凹部の周縁から外側方に延出した第一の鍔部を備えるとともに、前記蓋部が前記凸部の周縁から外側方に延出した第二の鍔部を備えているものである。
【００１８】
このようなものであれば、凹部や凸部の形状が第一、第二の鍔部によって安定するものとなる。
【考案の効果】
【００１９】
以上説明したように本考案によれば、樹脂製シートにブリスター加工を施して形成されたものであっても、オフセット印刷による印刷表示を好適に表示できる包装用容器を提供することができる。
【図面の簡単な説明】
【００２０】
【図１】本考案の一実施形態を示す斜視図。
【図２】同実施形態の組み立て前の展開図。
【図３】図２におけるＡ方向矢視図。
【図４】図２におけるＢ方向矢視図。
【考案を実施するための形態】
【００２１】
以下、本考案の一実施形態を、図面を参照して説明する。なお、前後上下左右などの位置関係は、組立完了状態（図１を参照）を基準にして説明することとする。
【００２２】
この実施形態は、本考案を、被包装物であるつけまつ毛（図示せず）を包装するための包装用容器Ｃに適用したものである。
【００２３】
包装用容器Ｃは、平板状の樹脂製シート（図示せず）に既知の加工方法であるブリスター加工を施して形成されたものである。より具体的にいえば、包装用容器Ｃは、オフセット印刷による印刷表示Ｐを施した平板状の樹脂製シートにブリスター加工を施して熱成形し、周囲を所定形状に裁断することによりシート加工物Ｄを得た後、当該シート加工物Ｄを所定箇所で折り曲げ、組み立てることにより形成される。本実施形態のオフセット印刷は、詳しくはＵＶオフセット印刷と称されるものであり、紫外線を照射することにより硬化乾燥するＵＶインキを使用している。
【００２４】
包装用容器Ｃは、被包装物を収納するための収納空間ｓが形成される凹部１１を有した本体部１と、本体部１に連続して設けられ凹部１１に嵌合する凸部２１を有した蓋部２と、蓋部２に連続して設けられ平板状をなす平板表示部３とを備えてなる。以下、各構成について詳述する。
【００２５】
本体部１は、透明をなしており、収容空間ｓを形成するべく略矩形ブロック状に前側に向かって凹んだ形状をなした凹部１１と、凹部１１の周縁から外側方に延出した鍔部１２（第一の鍔部１２）とを備えている。凹部１１は、透明をなしており、収納空間ｓに配される被包装物を外部から視認可能にしている。
【００２６】
蓋部２は、本体部１の下端縁にミシン目状の折り曲げ線ｆ１を介して連続して設けられたものであり、透明をなしている。蓋部２は、本体部１の後側に配されている。蓋部２は、凹部１１に内嵌される凸部２１と、凸部２１の周縁から外側方に延出した鍔部２２（第二の鍔部２２）とを備えている。凸部２１は前側に向かって凸をなしている。凸部２１の前側に向かって突出する寸法は、凹部１１の前側に向かって凹む寸法よりも小さな値に設定されている。このため、凸部２１を凹部１１に内嵌すると、凹部１１内に被包装物が収納される収納空間ｓが形成される。
【００２７】
以上の本体部１及び蓋部２の凹凸形状は、平板状の樹脂製シートをブリスター加工することによって形成されるが、これら本体部１及び蓋部２には印刷表示を設けないようにしてある。
【００２８】
平板表示部３は、略矩形平板状をなすものである。平板表示部３は、オフセット印刷による印刷表示Ｐが設けられている。印刷表示Ｐは、ブリスター加工がおこなわれる前の段階でオフセット印刷によって設けられている。
【００２９】
平板表示部３は、蓋部２の上端縁に連続して設けられている。平板表示部３は、蓋部２の上端縁に連続して設けられた後面板３２と、後面板３２の上端縁にミシン目状の折り曲げ線ｆ２を介して連続して設けられ後面板３２の前側に配された前面板３１とを備えている。しかして、後面板３２の背面（後面側の面）と前面板３１の正面（前面側の面）にオフセット印刷による印刷表示Ｐがそれぞれ設けられている。前面板３１の上端には、図示しないフック等に掛け止めするための貫通孔ｈが設けられている。また、前面板３１の下端には、下方に向けて突出する係止片３１ａが設けられている。この係止片３１ａは、後面板３２の下端に設けられたスリットｋに挿通され、前面板３１と後面板３２とが重なり合った状態で保持されるようになっている。
【００３０】
このように、本実施形態に係る包装用容器Ｃは、ブリスター加工に伴う加熱及び伸縮の影響を受けにくい平板状をなす平板表示部３にのみ、オフセット印刷による印刷表示Ｐを設けているので、樹脂製シートにブリスター加工を施して形成されたものであっても、オフセット印刷による印刷表示Ｐを好適に表示することができるものとなる。
【００３１】
なお、本考案は、以上に詳述した実施形態に限られるものではない。
【００３２】
例えば、上述した実施形態のものでは、平板表示部が蓋部に連続して設けられているものを説明したが、このようなものに限定されず、平板表示部を本体部に連続して設けるようにしても良い。
【００３３】
折り曲げ線の態様は種々のものを採用することができ、ミシン目やプレス等による折り癖であっても良いし、印刷のみによる折り曲げ部分の案内表示であっても良い。
【００３４】
また、本体部における凹部の形状や、蓋部における凸部の形状は、適宜の形状を採用することができるものであり、本実施形態に示されるものの他、種々のものが考えられるのはもちろんのことである。
【００３５】
その他、各部の具体的構成についても上記実施形態に限られるものではなく、本考案の趣旨を逸脱しない範囲で種々変形が可能である。
【符号の説明】
【００３６】
１…本体部
２…蓋部
３…平板表示部
１１…凹部
２１…凸部
Ｃ…包装用容器
Ｐ…印刷表示
ｓ…収納空間
【図１】
0003185830.tif 000003
【図２】
0003185830.tif 000004
【図３】
0003185830.tif 000005
【図４】
0003185830.tif 000006